(57)【特許請求の範囲】
【請求項１】
ボビンに巻回されている一次コイルおよび二次コイルと、
前記一次コイルおよび前記二次コイルを磁気的に結合させる鉄心と、
前記一次コイル、前記二次コイルおよび前記鉄心を収納するケースと、
前記ボビンに連設され、端末板収納部内に深さ方向へ複数の圧入用リブが設けられた端末板保持部と、
前記複数の圧入用リブが側面に接する端末板圧入部を有し、前記端末板圧入部の前記複数の圧入用リブに対応する挿入方向の先端部分にそれぞれ切欠き部が設けられ、前記端末板圧入部の後端へ開放し、前記複数の切欠き部と挿入方向に対して斜めに対向するとともに、前記端末板収納部の内部となる前記端末板圧入部の位置に端末板凹部が設けられた平たい弾性端末板と、
を少なくとも備え、
前記端末板圧入部を前記端末板収納部内に圧入することにより、前記端末板凹部の作用によって前記端末板圧入部が弾性変形して前記端末板収納部内で前記端末板圧入部の厚さ方向と直交する方向へ移動不能に固定されるとともに、前記端末板圧入部の圧入方向の先端部分が前記複数の圧入用リブを削る切削粉が、前記端末板凹部の作用によって拡開する前記複数の切欠き部と前記端末板収納部の最奥部との間に形成される部分にそれぞれ収納される、
ことを特徴とする内燃機関用点火コイル。
【発明の詳細な説明】
【技術分野】
【０００１】
本発明は、自動車エンジン等の内燃機関の火花プラグにおいて、火花放電を発生させるために高電圧を供給する内燃機関用点火コイルに関するものである。特に、本発明は、内燃機関用点火コイルにおけるコイルボビンに成形された端末板保持部、および前記端末板保持部に圧入される端末板の形状および構造に関するものである。
【背景技術】
【０００２】
図３（イ）は従来の内燃機関用点火コイルにおける端末板を保持する端末板保持部を説明するための断面図、（ロ）は端末板保持部を説明するための断面図、（ハ）は端末板保持部に端末板を圧入した際の状態を説明するための断面図である。図４（イ）は従来の内燃機関用点火コイルにおける端末板保持部に設けられた端末板収納部を説明するための側面図、（ロ）は前記端末板収納部の断面図である。図５は従来の内燃機関用点火コイルにおける端末板を説明するための平面図である。図６（イ）は従来の内燃機関用点火コイルにおけるボビンを説明するための平面図、（ロ）は平面図のＡ−Ａ線断面図、（ハ）は左側面図である。
【０００３】
図６に示すボビン５５には、図示されていない一次コイルまたは二次コイルが巻回されている。また、前記ボビン５５には、鍔５６が連設されている。さらに、前記鍔５６には、前記一次コイルまたは二次コイルの電線と他部品を接続するための端末板を保持する端末板保持部５２が設けられている。
【０００４】
前記端末板保持部５２には、図５に示されている端末板５１に成形されている端末板圧入部５１２を圧入する端末板収納部５２１が成形されている。また、前記端末板保持部５２の内部には、端末板圧入部５１２を圧入した後、抜け出ないようにするための圧入用リブ５２２が圧入方向に沿って成形されている。
【０００５】
前記端末板５１の端末板圧入部５１２は、図３（イ）ないし（ハ）に示されているように、端末板収納部５２１に圧入される。前記端末板圧入部５１２の圧入に際し、圧入用リブ５２２が切削され、切削粉５３が前記端末板収納部５２１の奥に残される。
【０００６】
また、コイルボビンには、特開２０００−１８２８６１に示すように、鉄心を挿入する一次コイルボビンの鉄心挿通孔に挿入する鉄心の断面より広い開口面を有する拡幅段部を設けて接着剤溜まりを形成した内燃機関用点火コイルがある。
【０００７】
【特許文献１】特開２０００−１８２８６１
【発明の開示】
【発明が解決しようとする課題】
【０００８】
前記従来の技術では、端末板圧入部５１２を端末板収納部５２１に圧入した後に、前記端末板圧入部５１２の先端部５１３と前記端末板収納部５２１の間に、圧入の際に圧入用リブ５２２が切削されてできた切削粉５３が溜まり、端末板圧入部５１２の後端部５１６が前記端末板収納部５２１から食み出すことになる（図３（ロ）参照）。この結果、前記従来の技術における内燃機関用点火コイルは、前記端末板５１を圧入後、寸法が安定しないので、生産性および品質を向上させることができないという課題があった。
【０００９】
本発明は、以上のような課題を解決するために、端末板における端末板圧入部に切削粉を収納できる切欠き部を設けた内燃機関用点火コイルを提供することを目的とする。
【００１０】
本発明の内燃機関用点火コイルは、ボビンに巻回されている一次コイルおよび二次コイルと、前記一次コイルおよび前記二次コイルを磁気的に結合させる鉄心と、前記一次コイル、前記二次コイルおよび前記鉄心を収納するケースと、前記ボビンに連設され、端末板収納部内に深さ方向へ複数の圧入用リブが設けられた端末板保持部と、前記複数の圧入用リブが側面に接する端末板圧入部を有し、前記端末板圧入部の前記複数の圧入用リブに対応する挿入方向の先端部分にそれぞれ切欠き部が設けられ、前記端末板圧入部の後端へ開放し、前記複数の切欠き部と挿入方向に対して斜めに対向するとともに、前記端末板収納部の内部となる前記端末板圧入部の位置に端末板凹部が設けられた平たい弾性端末板とを少なくとも備え、前記端末板圧入部を前記端末板収納部内に圧入することにより、前記端末板凹部の作用によって前記端末板圧入部が弾性変形して前記端末板収納部内で前記端末板圧入部の厚さ方向と直交する方向へ移動不能に固定されるとともに、前記端末板圧入部の圧入方向の先端部分が前記複数の圧入用リブを削る切削粉が、前記端末板凹部の作用によって拡開する前記複数の切欠き部と前記端末板収納部の最奥部との間に形成される部分にそれぞれ収納されることを特徴とする。
【発明の効果】
【００１１】
本発明によれば、端末板収納部に端末板圧入部を圧入する際に発生する切削粉を収納できる切欠き部を端末板圧入部の先端部に設けることにより、端末板板圧入部の圧入後の寸法精度を安定させ、生産性および品質を向上させることができる。
【発明を実施するための最良の形態】
【００１２】
本発明の内燃機関用点火コイルは、ボビンに巻回されている一次コイルおよび二次コイルと、前記一次コイルおよび前記二次コイルを磁気的に結合させる鉄心と、前記一次コイル、前記二次コイルおよび前記鉄心とを収納するケースと、前記一次コイルまたは前記二次コイルの電線と他部品を接続するための端末板と、前記端末板の端末板圧入部を収納する端末板収納部とから少なくとも構成されている。
【００１３】
前記端末板収納部は、前記ボビンに連設された端末板保持部に設けられているとともに、前記端末板圧入部を前記端末板収納部に圧入する際に、抜け出ないようにするための複数の圧入用リブが設けられている。また、前記端末板圧入部は、弾性を有するとともに、前記端末板収納部に圧入する際に、前記複数の圧入用リブを切削しながら内部に収納される。また、前記端末板圧入部は、前記端末板圧入部の圧入により切削された前記複数の圧入用リブの切削粉を収納するための複数の切欠き部が先端に成形されている。
【００１４】
前記端末板圧入部は、圧入の際に、切削された前記複数の圧入用リブの切削粉が前記端末板圧入部の先端に成形された前記複数の切欠き部に収納されるため、前記端末板収納部の規定位置まで圧入することができる。また、前記切欠き部の斜めに対向する位置に端末板凹部が配置されている。したがって、本発明は、前記端末板圧入部の圧入後の寸法を安定させることができるため、内燃機関用点火コイルの生産性および品質を向上させる。
【００１５】
本発明は、前記端末板圧入部に設けられた前記複数の切欠き部が前記端末板収納部に設けられた前記複数の圧入用リブの最奥部に相当する位置に成形されている。本発明は、前記端末板圧入部を前記端末板収納部に圧入する際に、前記複数の圧入用リブを切削し、その切削粉が集まる部分に前記複数の切欠き部が設けられている必要がある。
【００１６】
さらに、前記複数の圧入用リブは、前記端末板圧入部が圧入される際に、切削しながら圧入できるように、圧入方向（前記端末板収納部の深さ方向）に沿って成形されている。すなわち、前記複数の圧入用リブは、圧入方向に沿っていれば、前記端末板収納部の上、下、あるいは側部に設けることができる。また、前記複数の圧入用リブの形状は、前記端末板圧入部を圧入する際に、前記複数の圧入用リブの頂部を切削して、抜けない程度の大きさであれば、特に限定されない。
【実施例】
【００１７】
図１は本発明の一実施例で、内燃機関用点火コイルにおける端末板を説明するための平面図である。図１において、端末板１１は、後述する端末板保持部に圧入する端末板圧入部１１２と、前記端末板圧入部１１２における端末板先端部１１５に成形された少なくとも一つの切欠き部１１３と、端末板凹部１１４、１１４′とから構成されている。
【００１８】
前記切欠き部１１３には、後述する圧入の際に切削される圧入用リブの切削粉１３が収納される。端末板凹部１１４、１１４′は、図１の上下方向に弾性を持たせ、後述する端末板保持部における端末板収納部に圧入する際に端末板１１が抜け出ないようにする。
【００１９】
図２（イ）は本発明の一実施例で、端末板を圧入する端末板保持部を説明するための断面図で、（ロ）は同じく断面図である。図２（イ）および（ロ）において、端末板保持部１２には、図１に示す端末板圧入部１１２が圧入できる端末板収納部１２１が成形されている。また、前記端末板収納部１２１には、端末板圧入部１１２の圧入方向に沿って圧入用リブ１２２が成形されている。
【００２０】
前記圧入用リブ１２２は、前記端末板圧入部１１２の圧入方向と一致していれば、端末板収納部１２１の上部、下部、あるいは側部のいずれに設けても良い。また、前記圧入用リブ１２２の形状は、前記端末板圧入部１１２を端末板収納部１２１に圧入する際に、適度に切削されて、圧入後、抜け出ないのであれば、特に限定されない。
【００２１】
前記端末板１１の端末板圧入部１１２は、圧入用リブ１２２を切削しながら、端末板収納部１２１に圧入される。前記圧入に際し発生する切削粉１３は、前記端末板圧入部１１２の切欠き部１１３と端末板収納部１２１の最奥部によって形成される部分に収納される。したがって、前記端末板圧入部１１２の端末板先端部１１５と端末板後端部１１６とは、図２（ロ）に示すごとく、前記端末板収納部１２１に完全に収納されて、前記端末板後端部１１６が前記端末板収納部１２１から突出することがない。
【００２２】
一実施例における圧入用リブ１２２と、切欠き部１１３との関係は、位置的にほぼ同じにしておくと、端末板圧入部１１２の圧入により、切削粉１３が容易に前記部分に収納される。
【産業上の利用可能性】
【００２３】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明の端末板あるいは端末板保持部の形状および寸法は、本発明の主旨を逸脱しない限り設計変更を行うことができる。
【図面の簡単な説明】
【００２４】
【図１】本発明の一実施例で、内燃機関用点火コイルにおける端末板を説明するための平面図である。（実施例１）
【図２】（イ）は本発明の一実施例で、端末板を圧入する端末板保持部を説明するための断面図で、（ロ）は同じく断面図である。
【図３】（イ）は従来の内燃機関用点火コイルにおける端末板を保持する端末板保持部を説明するための断面図、（ロ）は端末板保持部を説明するための断面図、（ハ）は端末板保持部に端末板を圧入した際の状態を説明するための断面図である。
【図４】（イ）は従来の内燃機関用点火コイルにおける端末板保持部に設けられた端末板収納部を説明するための側面図、（ロ）は前記端末板収納部の断面図である。
【図５】従来の内燃機関用点火コイルにおける端末板を説明するための平面図である。
【図６】（イ）は従来の内燃機関用点火コイルにおけるボビンを説明するための平面図、（ロ）は平面図のＡ−Ａ線断面図、（ハ）は左側面図である。
【符号の説明】
【００２５】
１１・・・・端末板
１１２・・・端末板圧入部
１１３・・・切欠き部
１１４・・・端末板凹部
１１５・・・端末板先端部
１１６・・・端末板後端部
１２・・・・端末板保持部
１２１・・・端末板収納部
１２２・・・圧入用リブ
１３・・・・切削粉
１４・・・・切削粉収納部
【図１】
0003980007.tif 000002
【図２】
0003980007.tif 000003
【図３】
0003980007.tif 000004
【図４】
0003980007.tif 000005
【図５】
0003980007.tif 000006
【図６】
0003980007.tif 000007